(57)【要約】【課題】本発明は、筺体内部で流動状態とした周辺空気から、酸素濃縮装置と真空ポンプを用いて、高濃度酸素空気をメンテナス不要で供給し続けることを可能とすることを目的としている。【解決手段】筐体５の内部に、酸素濃縮装置７と真空ポンプ８、送風機９を備えた構成とし、真空ポンプの吸引側パイプ１０を酸素濃縮装置７に繋がり、吐出側パイプ１１は筺体５の外壁の吐出口に繋がった構成としている。上記構成により、送風機９の作用にて筺体５内部で周辺空気を流動状態とし、その流動空気から酸素濃縮装置７を介して、真空ポンプ８にて、高濃度酸素とした空気を吸引側パイプにて吸引した後、吐出側パイプを通じ、吐出口１２から、外部へとメンテナンス不要で供給し続けることを可能としている。【選択図】　図１
2004105583.tif 000002
【特許請求の範囲】
【請求項１】
周辺空気を筺体内部で流動状態とし、その流動空気の中から酸素の割合をより多く吸引することで、周辺空気に比べて酸素濃度を高濃度とした空気を作り出し、高濃度酸素空気を筺体外部に導いて対象とする目標に対して供給する高濃度酸素空気供給装置。
【請求項２】
周辺空気を筺体内部へと導く送風機と、筺体内部の流動空気から酸素濃度の割合を高くする酸素濃縮装置と、酸素濃縮装置から高濃度酸素を吸引する真空ポンプとを設けている請求項１に記載の高濃度酸素空気供給装置。
【請求項３】
周辺空気が筺体内部へと入る入り口部には、周辺空気から不要物を分離するフィルタ装置を設けた構成の請求項１または２に記載の高濃度酸素空気供給装置。
【請求項４】
高濃度酸素空気を供給する空気通路途上に、通路と連通した状態で通路内を流れる空気に臭いを供給する、臭い発生装置を設けている請求項１〜３いずれかに記載の高濃度酸素空気供給装置。
【請求項５】
臭い発生装置内部には揮発性の臭い源を設けている請求項４に記載の高濃度酸素空気供給装置。
【請求項６】
臭い発生装置内部の臭い源は取替え可能とした請求項５に記載の高濃度酸素空気供給装置。
【請求項７】
高濃度酸素空気の通路断面積を、通路途上で大小に変化させた部分を有する構成とした請求項１〜３いずれかに記載の高濃度酸素空気供給装置。
【請求項８】
通路出口での断面積を、出口の直近の通路面積に比べて小さい面積とした構成の請求項１〜３いずれかに記載の高濃度酸素供給装置。
【発明の詳細な説明】
【０００１】
【発明の属する技術分野】
本発明は、周辺空気を加工することにより、酸素濃度を周辺空気より高くした空気として供給する、高濃度酸素供給装置に関するものである。
【０００２】
【従来の技術】
圧縮酸素を封入した酸素ボンベを用いて、該酸素ボンベからの吐出量を電磁弁にて調整しながら酸素を供給する装置がある。例えば、特許文献１に示されているような構成をしている。
【０００３】
図７に従来の酸素供給装置を示している。図において、１は筐体で、内部に酸素ボンベ２や制御機器３等を有して、吐出口４から酸素を外部へと出す構成になっている。
【０００４】
【特許文献１】
特開平０６−１５９７１５号公報（図７参照）
【０００５】
【発明が解決しようとする課題】
上記従来の酸素供給装置では、酸素ボンベの容量により供給量が制限され、必要とするときに供給できない、という事態を招くという課題を有していた。
【０００６】
本発明は、上記課題を解決するためのものであり、周辺の空気から酸素を濃縮する装置を備えて、高酸素濃度の空気を作り出して供給する装置とし、絶え間無く酸素を供給することを目的としている。
【０００７】
【課題を解決するための手段】
この課題を解決するために本発明は、筐体の内部に筐体内部を流動する空気から酸素を濃縮する酸素濃縮装置を備えて、これにより高酸素濃度空気を作り出して、筐体の外部にある目標対象物に供給するものである。
【０００８】
【発明の実施の形態】
本発明の請求項１記載の発明は、筐体の内部に周辺空気を導いて流動状態とし、その流動空気の中から酸素の割合をより多く吸引する構成としている。
これにより、周辺空気に比べて酸素濃度を高濃度とした空気を筐体外部の対象とする目標に対して供給する事を可能としている。
【０００９】
本発明の請求項２に記載の発明は、筐体と送風機と酸素濃縮装置と真空ポンプを設けた構成としている。
【００１０】
この構成により、送風機で筐体内部の空気を流動状態とし、酸素濃縮装置を通して真空ポンプにより高濃度酸素空気を作り出して筐体外部の供給対象に供給することを可能としている。
【００１１】
本発明の請求項３に記載の発明は、請求項１及び２に記載の発明の形態にて、筐体外部の空気が筐体内部に流入する入り口部に不要物を分離するフィルタを設けた構成としている。
【００１２】
これにより、酸素濃縮装置には綺麗な空気が入ることを可能としている。
【００１３】
本発明の請求項４に記載の発明は、請求項１〜３に記載の発明の形態で、高酸素濃度を供給する空気通路の途上に、通路に連通した構成で、臭いを発生する装置を設けた形態としている。
【００１４】
これにより、高酸素濃度空気は臭いを有した空気とすることを可能としている。
【００１５】
本発明の請求項５に記載の発明は、請求項４に記載の発明の形態で、臭い発生装置の内部には揮発性の臭い源を設けた構成としている。
【００１６】
これにより、臭い発生装置に連通する空気通路には臭い源から揮発した臭い成分が空気通路内へと進入し高酸素濃度空気を臭いを有したものとすることを可能としている。
【００１７】
本発明の請求項６に記載の発明は、請求項５に記載の構成にて、臭い源は取替え可能な構成としている。
【００１８】
これにより、高酸素濃度空気に含まれる臭いは使用者の好みの臭いとすることが可能となっている。
本発明の請求項７に記載の発明では、請求項１〜３に記載の構成にて、高濃度酸素の空気が通過する通路の断面積が途中で大小に変化する構成としている。
【００１９】
これにより、真空ポンプの吸引により不安定になっている気流の圧力変動が吸収され安定した気流とすることが可能となる。
【００２０】
本発明の請求項８に記載の発明では、請求項１〜３に記載の構成にて、王濃度酸素空気の最終吐出口の断面積が、その直近の断面積より小さい構成としている。
【００２１】
これにより、高濃度酸素空気は流速の速い気流となって対象とする目標へと供給されることとなる。
【００２２】
【実施例】
（実施例１）
本発明の第１の実施例を図１に基づいて説明する。図において、筐体５に内部に向けての入り口６を設け、内部には酸素濃縮装置７と真空ポンプ８を設け、外壁には送風機９を備え、真空ポンプ８の吸引側パイプ１０は酸素濃縮装置７側に取り付き、同じく真空ポンプ８の吐出側パイプ１１は、筺体５の外壁に設けた吐出口１２へと繋がった構成をしている。図において、真空ポンプ８や送風機９を駆動するための電源部や、電源のためのコードなどは省略している。上記の酸素濃縮装置７の具体例としては、例えば酸素富化膜のような気体分離膜のようなものが有り、以下には改めては記さないが、同様である。
【００２３】
上記の構成における動作について説明する。送風機９の動作により、筺体５の入り口部６から周辺空気を筺体５の内部へと導入し、筺体５内部では空気を流動状態としている。この流動状態で常に新鮮となった周辺の空気に接している酸素濃縮装置７を介して、真空ポンプ８は酸素濃度を濃縮した状態の空気を吸引し、吐出側パイプ１１を通って筺体５の外壁に設けた吐出口１２から排出し、対象とする目標に高濃度酸素空気を供給できるものである。これにより高濃度酸素の空気をメンテナンス不要で絶え間なく供給することが可能としている。
【００２４】
（実施例２）
本発明の第２の実施例を図２に基づいて説明する。本実施例の構成は、実施例１とほぼ同様であるので同じ構成のものは図番を共用して特徴のある構成についてのみ説明する。即ち、図において、筺体５の内部に向けての入り口部には集塵フィルタ１３を設け、他の部分は実施例１と同様の構成となっている。
【００２５】
上記の構成における動作について説明する。動作に関しても実施例１と同様であるので、ここでは、特徴のある動作についてのみ記載する。送風機９の作用で周辺空気を筺体５の内部へと吸引するのであるが、その時、筺体入り口に設けた集塵フィルタ１３の作用により周辺空気に含まれる塵埃分はフィルタでろ過されることになる。これにより酸素濃縮装置７には清浄な空気が供給され、そこから濃縮されてくる高濃度酸素空気も、清浄なものとなると同時に、酸素濃縮装置７も汚れることなく、寿命が長く保たれることになるのである。
【００２６】
（実施例３）
更に、本発明の第３の実施例を図３に基づいて説明する。本実施例の構成は、実施例２とほぼ同様であるので同構成のものは図番を共用して特徴のある構成についてのみ説明する。すなわち図において、真空ポンプ８の吐出側パイプ１１の通路途上に内部で連通して、臭い発生装置１４を設け、他の部分は実施例２と同様の構成となっている。
【００２７】
上記の構成における動作について説明する。動作に関しても実施例２と同様であるので、ここでは、特徴のある動作についてのみ記載する。真空ポンプ８により高濃度酸素空気が吐出がわパイプ１１へと排出されてくるのであるが、この通路途上には、臭い発生装置１４が設けられているので、高濃度酸素空気が通過する途中で臭いを高濃度酸素空気に付加する事になり、筺体壁に設けた吐出口１２からは臭いを含んだ高濃度酸素空気が排出されてくることになる。これにより、高濃度酸素空気の排出が臭感にても実感できるものとすることが出来る。
【００２８】
更に、臭い発生装置１４の内部には揮発性である、臭いを発生する源、臭い源、を封入しておくことで、より高濃度酸素空気に混入が容易となり、臭いを含んだ高濃度酸素空気を供給しやすくなるのである。
【００２９】
（実施例４）
また、本発明の第４の実施例を図４に基づいて説明する。本実施例の構成は、実施例３とほぼ同様であるので同構成のものは図番を共用して特徴のある構成についてのみ説明する。即ち、図は臭い発生装置１５であり、内部に臭い源を有し、取り外し部１６で内部の臭い源を取り出し、入れ替えを可能としている。
【００３０】
上記の構成における動作について説明する。動作に関しても実施例３と同様であるので、ここでは、特徴のある動作についてのみ記載する。真空ポンプ８により高濃度酸素空気が吐出がわパイプ１１へと排出されてくるのであるが、この通路途上には、臭い発生装置１４が設けられているので、高濃度酸素空気が通過する途中で臭いを付加する事になり、筺体壁に設けた吐出口１２からは臭いを含んだ高濃度酸素空気が排出されてくることになる。このとき、臭い源は、好みのものに交換することが出来。これにより、使用者は好みの臭い源を選択して、臭い発生装置１５内に封入することが出来、好みに臭い付けされた高濃度酸素空気を吸入することができるのである。
【００３１】
（実施例５）
そして、本発明の第５の実施例を図５に基づいて説明する。本実施例の構成は、実施例１とほぼ同様であるので同じ構成のものは図番を共用して特徴のある構成についてのみ説明する。すなわち図において、真空ポンプ８の吐出側パイプ１１の通路途上には断面積が大きくなった部分１７が設けられている。図では、一箇所のみを示しているが、複数箇所に設けても差し支えない。
【００３２】
上記の構成における動作について説明する。動作に関しても実施例３と同様であるので、ここでは、特徴のある動作についてのみ記載する。真空ポンプ８により高濃度酸素空気が吐出がわパイプ１１へと排出されてくるのであるが、この通路途上には、通路断面積が異なる部分１７が設けられているので、その部分の内部で吐出空気の流速が変化し、真空ポンプ８の影響による騒音などが減衰させられるのである。これにより、騒音の小さな高濃度酸素空気を得ることが可能となっている。
【００３３】
（実施例６）
また、本発明の第６の実施例を図６に基づいて説明する。本実施例の構成は、実施例５とほぼ同様であるので同じ構成のものは図番を共用して特徴のある構成についてのみ説明する。すなわち図において、真空ポンプ８の吐出側パイプ１１の最終端部１８付近では、最終端部１８の断面積が、その直前のパイプの断面積に比べて小さい構成となっている。
【００３４】
上記の構成における動作について説明する。動作に関しても実施例５と同様であるので、ここでは、特徴のある動作についてのみ記載する。真空ポンプ８により高濃度酸素空気が吐出がわパイプ１１へと排出されてくるのであるが、その最終端部１８の面積がその直前に比べて小さくなっていることから、圧力的な損失が最終端部１８のみの負担で吐出流速を速めることが可能となっている。これにより、流速が速く、実感のもてる吐出気流を得ることが出来る。
【００３５】
上記実施例から明らかなように、第１の実施例によれば、筺体内部で流動させて常に新鮮になっている周辺空気から酸素濃縮装置により酸素を濃縮するので、高濃度酸素空気を絶え間なく目標とする対象に対してメンテナンス不要で、供給し続けることが可能となる効果を得ている。
【００３６】
又、第２の実施例によれば、筺体の入り口部にフィルタを設けているので、周辺空気から不要物を除去して清浄化した空気から酸素濃縮装置により酸素を濃縮するので、清浄化された高濃度酸素空気を供給することが可能となる効果を得ている。
【００３７】
更に第３，４の実施例によれば、真空ポンプの吐出側ににおい発生装置を設けていることから、高濃度酸素空気に臭いを付加する事が出来、また、揮発性の臭い源にすることで臭いが混入しやすくなり、そして、臭い源を交換可能としていることから、好みの臭いを負荷することが可能となる効果を得ている。
【００３８】
更に、第５の実施例によれば、真空ポンプの吐出側のパイプに断面積が変化する部分を設けていることから、真空ポンプによる騒音等を吸収することが可能となり、低騒音の高濃度酸素空気を供給することを可能とする効果を得ている。
【００３９】
そして、第６の実施例によれば、真空ポンプの吐出側パイプの最終端部では、その直前の断面積に比べて小さな断面積としていることから、真空ポンプの吐出側の通路での圧力損失の負担を小さくして吐出流の流速を上げて、噴出感を高める効果を得ることが出来る。
【００４０】
【発明の効果】
以上より、本発明によれば、高濃度酸素空気を絶え間なく目標とする対象に対してメンテナンス不要で、供給し続けることが可能となる。
【図面の簡単な説明】
【図１】本発明の第１の実施例である高濃度酸素空気供給装置の斜視図
【図２】本発明の第２の実施例である高濃度酸素空気供給装置の斜視図
【図３】本発明の第３の実施例である高濃度酸素空気供給装置の斜視図
【図４】本発明の第４の実施例である臭い発生装置斜視図
【図５】本発明の第５の実施例である高濃度酸素空気供給装置の斜視図
【図６】本発明の第６の実施例である高濃度酸素空気供給装置の斜視図
【図７】従来の酸素発生装置の断面図
【符号の説明】
７　酸素濃縮装置
８　真空ポンプ
９　送風機
【図１】
2004105583.tif 000003
【図２】
2004105583.tif 000004
【図３】
2004105583.tif 000005
【図４】
2004105583.tif 000006
【図５】
2004105583.tif 000007
【図６】
2004105583.tif 000008
【図７】
2004105583.tif 000009
【手続補正書】
【提出日】平成15年7月18日(2003.7.18)
【手続補正１】
【補正対象書類名】明細書
【補正対象項目名】全文
【補正方法】変更
【補正の内容】
【特許請求の範囲】
【請求項１】周辺空気を筺体内部で流動状態とし、その流動空気の中から酸素の割合をより多く吸引することで、周辺空気に比べて酸素濃度を高濃度とした空気を作り出し、高濃度酸素空気を筺体外部に導いて対象とする目標に対して供給する高濃度酸素空気供給装置。
【請求項２】周辺空気を筺体内部へと導く送風機と、筺体内部の流動空気から酸素濃度の割合を高くする酸素濃縮装置と、酸素濃縮装置から高濃度酸素を吸引する真空ポンプとを設けている請求項１に記載の高濃度酸素空気供給装置。
【請求項３】周辺空気が筺体内部へと入る入り口部には、周辺空気から不要物を分離するフィルタ装置を設けた構成の請求項１または２に記載の高濃度酸素空気供給装置。
【請求項４】高濃度酸素空気を供給する空気通路途上に、通路と連通した状態で通路内を流れる空気に臭いを供給する、臭い発生装置を設けている請求項１〜３いずれかに記載の高濃度酸素空気供給装置。
【請求項５】臭い発生装置内部には揮発性の臭い源を設けている請求項４に記載の高濃度酸素空気供給装置。
【請求項６】臭い発生装置内部の臭い源は取替え可能とした請求項５に記載の高濃度酸素空気供給装置。
【請求項７】高濃度酸素空気の通路断面積を、通路途上で大小に変化させた部分を有する構成とした請求項１〜３いずれかに記載の高濃度酸素空気供給装置。
【発明の詳細な説明】
【０００１】
【発明の属する技術分野】
本発明は、周辺空気を加工することにより、酸素濃度を周辺空気より高くした空気として供給する、高濃度酸素供給装置に関するものである。
【０００２】
【従来の技術】
圧縮酸素を封入した酸素ボンベを用いて、該酸素ボンベからの吐出量を電磁弁にて調整しながら酸素を供給する装置がある。例えば、特許文献１に示されているような構成をしている。
【０００３】
図７に従来の酸素供給装置を示している。図において、１は筐体で、内部に酸素ボンベ２や制御機器３等を有して、吐出口４から酸素を外部へと出す構成になっている。
【０００４】
【特許文献１】
特開平０６−１５９７１５号公報
【０００５】
【発明が解決しようとする課題】
上記従来の酸素供給装置では、酸素ボンベの容量により供給量が制限され、必要とするときに供給できない、という事態を招くという課題を有していた。
【０００６】
本発明は、上記課題を解決するためのものであり、周辺の空気から酸素を濃縮する装置を備えて、高酸素濃度の空気を作り出して供給する装置とし、絶え間無く酸素を供給することを目的としている。
【０００７】
【課題を解決するための手段】
この課題を解決するために本発明は、筐体の内部に筐体内部を流動する空気から酸素を濃縮する酸素濃縮装置を備えて、これにより高酸素濃度空気を作り出して、筐体の外部にある目標対象物に供給するものである。
【０００８】
【発明の実施の形態】
本発明の請求項１記載の発明は、筐体の内部に周辺空気を導いて流動状態とし、その流動空気の中から酸素の割合をより多く吸引する構成としている。
【０００９】
これにより、周辺空気に比べて酸素濃度を高濃度とした空気を筐体外部の対象とする目標に対して供給する事を可能としている。
【００１０】
本発明の請求項２に記載の発明は、筐体と送風機と酸素濃縮装置と真空ポンプを設けた構成としている。
【００１１】
この構成により、送風機で筐体内部の空気を流動状態とし、酸素濃縮装置を通して真空ポンプにより高濃度酸素空気を作り出して筐体外部の供給対象に供給することを可能としている。
【００１２】
本発明の請求項３に記載の発明は、請求項１及び２に記載の発明の形態にて、筐体外部の空気が筐体内部に流入する入り口部に不要物を分離するフィルタを設けた構成としている。
【００１３】
これにより、酸素濃縮装置には綺麗な空気が入ることを可能としている。
【００１４】
本発明の請求項４に記載の発明は、請求項１〜３に記載の発明の形態で、高酸素濃度を供給する空気通路の途上に、通路に連通した構成で、臭いを発生する装置を設けた形態としている。
【００１５】
これにより、高酸素濃度空気は臭いを有した空気とすることを可能としている。
【００１６】
本発明の請求項５に記載の発明は、請求項４に記載の発明の形態で、臭い発生装置の内部には揮発性の臭い源を設けた構成としている。
【００１７】
これにより、臭い発生装置に連通する空気通路には臭い源から揮発した臭い成分が空気通路内へと進入し高酸素濃度空気を臭いを有したものとすることを可能としている。
【００１８】
本発明の請求項６に記載の発明は、請求項５に記載の構成にて、臭い源は取替え可能な構成としている。
【００１９】
これにより、高酸素濃度空気に含まれる臭いは使用者の好みの臭いとすることが可能となっている。
【００２０】
本発明の請求項７に記載の発明では、請求項１〜３に記載の構成にて、高濃度酸素の空気が通過する通路の断面積が途中で大小に変化する構成としている。
【００２１】
これにより、真空ポンプの吸引により不安定になっている気流の圧力変動が吸収され安定した気流とすることが可能となる。
【００２２】
【実施例】
（実施例１）
本発明の第１の実施例を図１に基づいて説明する。図において、筐体５に内部に向けての入り口６を設け、内部には酸素濃縮装置７と真空ポンプ８を設け、外壁には送風機９を備え、真空ポンプ８の吸引側パイプ１０は酸素濃縮装置７側に取り付き、同じく真空ポンプ８の吐出側パイプ１１は、筺体５の外壁に設けた吐出口１２へと繋がった構成をしている。図において、真空ポンプ８や送風機９を駆動するための電源部や、電源のためのコードなどは省略している。上記の酸素濃縮装置７の具体例としては、例えば酸素富化膜のような気体分離膜のようなものが有り、以下には改めては記さないが、同様である。
【００２３】
上記の構成における動作について説明する。送風機９の動作により、筺体５の入り口部６から周辺空気を筺体５の内部へと導入し、筺体５内部では空気を流動状態としている。この流動状態で常に新鮮となった周辺の空気に接している酸素濃縮装置７を介して、真空ポンプ８は酸素濃度を濃縮した状態の空気を吸引し、吐出側パイプ１１を通って筺体５の外壁に設けた吐出口１２から排出し、対象とする目標に高濃度酸素空気を供給できるものである。これにより高濃度酸素の空気をメンテナンス不要で絶え間なく供給することが可能としている。
【００２４】
（実施例２）
本発明の第２の実施例を図２に基づいて説明する。本実施例の構成は、実施例１とほぼ同様であるので同じ構成のものは図番を共用して特徴のある構成についてのみ説明する。即ち、図において、筺体５の内部に向けての入り口部には集塵フィルタ１３を設け、他の部分は実施例１と同様の構成となっている。
【００２５】
上記の構成における動作について説明する。動作に関しても実施例１と同様であるので、ここでは、特徴のある動作についてのみ記載する。送風機９の作用で周辺空気を筺体５の内部へと吸引するのであるが、その時、筺体入り口に設けた集塵フィルタ１３の作用により周辺空気に含まれる塵埃分はフィルタでろ過されることになる。これにより酸素濃縮装置７には清浄な空気が供給され、そこから濃縮されてくる高濃度酸素空気も、清浄なものとなると同時に、酸素濃縮装置７も汚れることなく、寿命が長く保たれることになるのである。
【００２６】
（実施例３）
更に、本発明の第３の実施例を図３に基づいて説明する。本実施例の構成は、実施例２とほぼ同様であるので同構成のものは図番を共用して特徴のある構成についてのみ説明する。すなわち図において、真空ポンプ８の吐出側パイプ１１の通路途上に内部で連通して、臭い発生装置１４を設け、他の部分は実施例２と同様の構成となっている。
【００２７】
上記の構成における動作について説明する。動作に関しても実施例２と同様であるので、ここでは、特徴のある動作についてのみ記載する。真空ポンプ８により高濃度酸素空気が吐出側パイプ１１へと排出されてくるのであるが、この通路途上には、臭い発生装置１４が設けられているので、高濃度酸素空気が通過する途中で臭いを高濃度酸素空気に付加する事になり、筺体壁に設けた吐出口１２からは臭いを含んだ高濃度酸素空気が排出されてくることになる。これにより、高濃度酸素空気の排出が臭感にても実感できるものとすることが出来る。
【００２８】
更に、臭い発生装置１４の内部には揮発性である、臭いを発生する源、臭い源、を封入しておくことで、より高濃度酸素空気に混入が容易となり、臭いを含んだ高濃度酸素空気を供給しやすくなるのである。
【００２９】
（実施例４）
また、本発明の第４の実施例を図４に基づいて説明する。本実施例の構成は、実施例３とほぼ同様であるので同構成のものは図番を共用して特徴のある構成についてのみ説明する。即ち、図は臭い発生装置１５であり、内部に臭い源を有し、取り外し部１６で内部の臭い源を取り出し、入れ替えを可能としている。
【００３０】
上記の構成における動作について説明する。動作に関しても実施例３と同様であるので、ここでは、特徴のある動作についてのみ記載する。真空ポンプ８により高濃度酸素空気が吐出側パイプ１１へと排出されてくるのであるが、この通路途上には、臭い発生装置１４が設けられているので、高濃度酸素空気が通過する途中で臭いを付加する事になり、筺体壁に設けた吐出口１２からは臭いを含んだ高濃度酸素空気が排出されてくることになる。このとき、臭い源は、好みのものに交換することが出来。これにより、使用者は好みの臭い源を選択して、臭い発生装置１５内に封入することが出来、好みに臭い付けされた高濃度酸素空気を吸入することができるのである。
【００３１】
（実施例５）
そして、本発明の第５の実施例を図５に基づいて説明する。本実施例の構成は、実施例１とほぼ同様であるので同じ構成のものは図番を共用して特徴のある構成についてのみ説明する。すなわち図において、真空ポンプ８の吐出側パイプ１１の通路途上には断面積が大きくなった部分１７が設けられている。図では、一箇所のみを示しているが、複数箇所に設けても差し支えない。
【００３２】
上記の構成における動作について説明する。動作に関しても実施例３と同様であるので、ここでは、特徴のある動作についてのみ記載する。真空ポンプ８により高濃度酸素空気が吐出側パイプ１１へと排出されてくるのであるが、この通路途上には、通路断面積が異なる部分１７が設けられているので、その部分の内部で吐出空気の流速が変化し、真空ポンプ８の影響による騒音などが減衰させられるのである。これにより、騒音の小さな高濃度酸素空気を得ることが可能となっている。
【００３３】
（参考例１）
また、本発明の第１の参考例を図６に基づいて説明する。本参考例の構成は、実施例５とほぼ同様であるので同じ構成のものは図番を共用して特徴のある構成についてのみ説明する。すなわち図において、真空ポンプ８の吐出側パイプ１１の最終端部１８付近では、最終端部１８の断面積が、その直前のパイプの断面積に比べて小さい構成となっている。
【００３４】
上記の構成における動作について説明する。動作に関しても実施例５と同様であるので、ここでは、特徴のある動作についてのみ記載する。真空ポンプ８により高濃度酸素空気が吐出側パイプ１１へと排出されてくるのであるが、その最終端部１８の面積がその直前に比べて小さくなっていることから、圧力的な損失が最終端部１８のみの負担で吐出流速を速めることが可能となっている。これにより、流速が速く、実感のもてる吐出気流を得ることが出来る。
【００３５】
上記実施例から明らかなように、第１の実施例によれば、筺体内部で流動させて常に新鮮になっている周辺空気から酸素濃縮装置により酸素を濃縮するので、高濃度酸素空気を絶え間なく目標とする対象に対してメンテナンス不要で、供給し続けることが可能となる効果を得ている。
【００３６】
又、第２の実施例によれば、筺体の入り口部にフィルタを設けているので、周辺空気から不要物を除去して清浄化した空気から酸素濃縮装置により酸素を濃縮するので、清浄化された高濃度酸素空気を供給することが可能となる効果を得ている。
【００３７】
更に第３、４の実施例によれば、真空ポンプの吐出側ににおい発生装置を設けていることから、高濃度酸素空気に臭いを付加する事が出来、また、揮発性の臭い源にすることで臭いが混入しやすくなり、そして、臭い源を交換可能としていることから、好みの臭いを負荷することが可能となる効果を得ている。
【００３８】
更に、第５の実施例によれば、真空ポンプの吐出側のパイプに断面積が変化する部分を設けていることから、真空ポンプによる騒音等を吸収することが可能となり、低騒音の高濃度酸素空気を供給することを可能とする効果を得ている。
【００３９】
そして、第１の参考例によれば、真空ポンプの吐出側パイプの最終端部では、その直前の断面積に比べて小さな断面積としていることから、真空ポンプの吐出側の通路での圧力損失の負担を小さくして吐出流の流速を上げて、噴出感を高める効果を得ることが出来る。
【００４０】
【発明の効果】
以上より、本発明によれば、高濃度酸素空気を絶え間なく目標とする対象に対してメンテナンス不要で、供給し続けることが可能となる。
【図面の簡単な説明】
【図１】本発明の第１の実施例である高濃度酸素空気供給装置の斜視図
【図２】本発明の第２の実施例である高濃度酸素空気供給装置の斜視図
【図３】本発明の第３の実施例である高濃度酸素空気供給装置の斜視図
【図４】本発明の第４の実施例である臭い発生装置斜視図
【図５】本発明の第５の実施例である高濃度酸素空気供給装置の斜視図
【図６】本発明の第１の参考例である高濃度酸素空気供給装置の斜視図
【図７】従来の酸素発生装置の断面図
【符号の説明】
７　酸素濃縮装置
８　真空ポンプ
９　送風機